(57)【要約】【課題】吊り上げるタイミングを気にせずに自動的に吊りあげることができ、初心者でも釣りを楽しむことができると共に、同時に複数本の釣り竿をセットして釣りをすることができる電動リール付き釣り竿を提供するものである。【解決手段】把持部１の先端に穂先２の取付部２３を形成すると共に、把持部１の先端側上部にリール３を設け、把持部１の内側にリール３を回転させるモータ４と電池７を設け、前記穂先２を導電性のバネ板で形成すると共に、モータ４と電池７のモータ駆動回路１１に接続し、穂先２に沿ってこの下方に間隔をおいて導電性のバネ板で形成された導電板２４を設け、この導電板２４をモータ駆動回路１１に接続し、魚が掛かって前記穂先２がたわんだ時に穂先２と導電板２４が接触するスイッチ２７を設け、このスイッチ２７が入ってモータ４が駆動し、リール３が自動的に回転して魚を吊り上げるようにしたものである。【選択図】図１
0003148768.tif 000002
【実用新案登録請求の範囲】
【請求項１】
把持部の先端に穂先の取付部を形成すると共に、把持部の先端側上部にリールを設け、把持部の内側にリールを回転させるモータと電池を設け、前記穂先を導電性のバネ板で形成すると共に、これを前記モータと電池のモータ駆動回路に接続し、穂先に沿ってこの下方に間隔をおいて導電性のバネ板で形成された導電板を設け、この導電板をモータ駆動回路に接続し、魚が掛かって前記穂先がたわんだ時に穂先と導電板が接触するスイッチを設け、このスイッチが入ってモータが駆動し、リールが自動的に回転して魚を吊り上げるようにしたことを特徴とする電動リール付き釣り竿。
【請求項２】
導電性のバネ板で形成された穂先と、モータに接続し、導電性のバネ板の先端を下方に折曲したスイッチ板とでスイッチを形成し、スイッチ板に釣り糸ガイドリングを取付けると共に、スイッチ板の基端を把持部の先端側上部に固定し、先端を穂先の上面に接離自在に接触させて、釣り糸に取付けたストッパーボールが巻上げられて釣り糸ガイドリングに衝突した時に、スイッチ板の先端が上昇して穂先から離れてスイッチが切れ、モータ駆動回路が遮断されるようにしたことを特徴とする請求項１記載の電動リール付き釣り竿。
【考案の詳細な説明】
【技術分野】
【０００１】
本考案は、ワカサギ釣り等の小魚釣りに使用する電動リール付き釣り竿に関するものである。
【背景技術】
【０００２】
一般にワカサギ釣りを行なう場合には、比較的短い釣り竿が使用されている。この釣り竿には釣り糸をリールに手動で巻き上げるものと、リールをモータで回転させて自動で巻き上げる電動式のものがある。
【０００３】
従来の電動リール付き釣り竿としては、例えばモータを上下に回動自在に取付け、スイッチをスライドさせることにより、モータを傾斜させてその出力軸がリールのフランジから離れることによりクラッチを切って、リールをフリー回転させて釣り糸を繰り出し、スイッチを戻すことによりモータが水平になってその出力軸とリールのフランジが接触することによりクラッチが入ってモータによりリールを回転させて釣り糸を巻き上げるようにした構造のものである（特許文献１）。
【０００４】
しかしながらこの構造は、魚が掛かった時にスイッチを手動で入れてモータを回転させるので、吊り上げるタイミングを外すと釣り損なうことがあり、また数本の釣り竿をセットしておくことができない問題があった。またこの釣り竿は、精密な電気部品であるモータを、スライドスイッチで上下に回動させてクラッチ動作させるので、故障し易い問題があった。
【特許文献１】実用新案登録第３１２５３００号
【考案の開示】
【考案が解決しようとする課題】
【０００５】
本考案は上記問題を改善し、吊り上げるタイミングを気にせずに自動的に吊りあげることができ、初心者でも釣りを楽しむことができると共に、同時に複数本の釣り竿をセットして釣りをすることができる電動リール付き釣り竿を提供するものである。
【課題を解決するための手段】
【０００６】
本考案の請求項１記載の電動リール付き釣り竿は、
【０００７】
本考案の請求項２記載の電動リール付き釣り竿は、請求項１において、
【考案の効果】
【０００８】
請求項１記載の電動リール付き釣り竿によれば、魚が掛かってその荷重により導電性のバネ板で形成された穂先の先端側がたわむと、この穂先に沿ってこの下方に間隔をおいて配置した導電板の先端と接触して、自動的にスイッチが入ってモータが駆動し、リールが回転して魚を自動的に吊り上げることができる。この結果、吊り上げるタイミングを気にせずに自動的に吊り上げるので、初心者でも釣りを楽しむことができると共に、同時に複数本の釣り竿をセットして釣りをすることもできる。
【０００９】
また請求項２記載の電動リール付き釣り竿によれば、魚が水面より吊り上げられると、釣り糸に取付けたストッパーボールが巻上げられて、スイッチ板に取付けた釣り糸ガイドリングに衝突して、スイッチ板の先端が持ち上げられて穂先から離れ、モータ駆動回路が遮断されるので、自動的に停止させることができる。
【考案を実施するための最良の形態】
【００１０】
以下本考案の実施の一形態を図１ないし図４を参照して詳細に説明する。図１は電動リール付き釣り竿を示すもので、１は把持部で、この把持部１の先端には穂先２が着脱可能に取付けられるようになっている。また把持部１の先端側上部にはリール３が取付けられている。また把持部１の内側にはモータ４を収納するモータ収納部５が形成され、更にこの下部側には電池７を収納する電池収納部８が形成され、モータ４と電池７は把持部１の側面に取付けたスイッチ１０を介してモ−タ駆動回路１１が形成されている。
【００１１】
またモータ４の出力軸１２は図２に示すように把持部１の上面に突出し、ここに滑り止めリング１３が取付けられ、リール３のフランジ側面に摺接している。またこのリール３は、把持部１の上面に回動自在に取付けられてレバー１５に支持されている。このレバー１５には支持軸１６が立設され、ここにベアリング１７を介してリール３が取付けられている。またリール３から上方に突出した支持軸１６の先端にはゴムチューブ１８が上下動自在に取付けられ、チューブ１８を下げることによりリール３が空回りしないようになっている。
【００１２】
またレバー１５は図３に示すように、一端を軸２０で回動自在に取付け、他端にコイルスプリング２１を接続したもので、ゴムチューブ１８を上げてレバー１５を矢印方向に回動させることにより、リール３が出力軸１２の滑り止めリング１３から離れてフリー回転するようになっている。またレバー１５から手を離すとコイルスプリング２１の弾性力により復帰してリール３が滑り止めリング１３に接触するようになっている。
【００１３】
また前記把持部１の先端には、図１に示すように穂先取付部２３が形成され、ここに穂先２と、この下方に間隔をおいて取付けた導電板２４の基端側を支持する差し込み部２５が着脱自在に挿着されている。穂先２と導電板２４は導電性のバネ板で形成され、導電板２４は穂先２より短く形成されている。また導電板２４の先端に図４に示すように振れ止めリング２６が固定され、この内側に穂先２が挿着されて、互いに位置がずれないようになっており、図１に仮想線で示すように魚が掛かって穂先２がたわんだ時に導電板２４の先端が接触して通電するスイッチ２７が形成されている。また穂先２と導電板２４の間には間隔調整ねじ２８が設けられている。この間隔調整ねじ２８が接触する穂先２の下面は絶縁処理されている。
【００１４】
また穂先２の上面には所定の間隔で釣り糸ガイドリング２９が取付けられ、ここにストッパーボール３０を取付けた釣り糸６が挿通されている。また穂先取付部２３の内側底部には、メインスイッチ１０に接続する接点３２が設けられ、差し込み部２５を穂先取付部２３に差し込んだ時に導電板２４と接触するようになっている。
【００１５】
また把持部１の先端側上部にスイッチ板３３が取り付けられている。このスイッチ板３３は導電性のバネ板で形成され、先端を下方に折曲し、この先端は差し込み部２５で穂先２の上面と弾性的に接触して、ここがスイッチ３４となっている。従って電池７、モータ４、メインスイッチ１０、接点３２、導電板２４、スイッチ２７、穂先２、スイッチ３４、スイッチ板３３、モータ４が導通するとモータ４が回転するモ−タ駆動回路１１が形成されている。
【００１６】
上記構成の電動リール付き釣り竿を使用して釣りを行なう場合、先ずリール３に巻き付けられている釣り糸６の先端に図示しない重りや釣り針を取り付ける。次に図２に示す、支持軸１６に取付けたゴムチューブ１８を上げてベアリング１７をフリーにする。この後、図３に示すようにレバー１５を矢印方向に回動させると出力軸１２に取付けた滑り止めリング１３と離れ、フリー回転となって、重りの荷重によって、リール３から釣り糸２２が繰り出されて、先端が所定の水深近くまで達したら、レバー１５を離すと、コイルスプリング２１によりリール３が復帰して滑り止めリング１３に接触する。
【００１７】
この状態で釣り竿を保持し、魚が掛かるとその荷重により穂先２の先端側がたわんで、導電板２４の先端と接触してスイッチ２７が入る。この結果、モ−タ駆動回路１１が通電状態となってモータ４が駆動してリール３が回転し、釣り糸６を巻き上げる。更に巻き上げて魚が水面より吊り上げられると、釣り糸６に取付けたストッパーボール３０がスイッチ板３３に取付けた釣り糸ガイドリング２９に衝突して、図１に仮想線で示すようにスイッチ板３３を持ち上げる。この結果、スイッチ板３３と穂先２の接触部分に形成されていたスイッチ３４が切れて電流が遮断され、モータ４が自動的に停止する。
【００１８】
従って、本考案の電動リール付き釣り竿によれば、魚が掛かってその荷重により穂先２の先端側がたわむことにより、自動的にスイッチ２７が入ってモータ４が駆動してリール３が回転して魚を自動的に吊り上げることができる。魚が水面より吊り上げられると、スイッチ板３３が持ち上げられてスイッチ３４が自動的に切れて、リール３の回転が自動的に停止するようになっている。このため吊り上げるタイミングを気にせずに自動的に吊りあげることができるので、初心者でも釣りを楽しむことができると共に、同時に複数本の釣り竿をセットして釣りをすることもできる。
【図面の簡単な説明】
【００１９】
【図１】本考案の実施の一形態による電動リール付き釣り竿の断面図である。
【図２】図１の電動リール付き釣り竿のリール部分を拡大して示す断面図である。
【図３】図２のリール部分を拡大して示す平面図である。
【図４】導電板に取付けた振れ止めリングに穂先を挿着した状態を示す断面図である。
【符号の説明】
【００２０】
１    把持部                                                
２    穂先                                                  
３    リール                                                
４    モータ                                                
５    モータ収納部                                          
６    釣り糸                                                
７    電池                                                  
８    電池収納部                                            
１０  メインスイッチ                                        
１１  モ−タ駆動回路                                        
１２  出力軸                                                
１３  滑り止めリング                                        
１５  レバー                                                
１６  支持軸                                                
１７  ベアリング１７                                        
１８  ゴムチューブ                                          
２０  軸                                                    
２１  コイルスプリング                                      
２３  穂先取付部                                            
２４  導電板            
２５  差し込み部                
２６  振れ止めリング          
２７  スイッチ                
２８  間隔調整ねじ              
２９  釣り糸ガイドリング      
３０  ストッパーボール        
３２  接点                    
３３  スイッチ板              
３４  スイッチ    
【図１】
0003148768.tif 000003
【図２】
0003148768.tif 000004
【図３】
0003148768.tif 000005
【図４】
0003148768.tif 000006